(57)【特許請求の範囲】
【請求項１】
（イ）下鏝に衣類を載せてセットし、下鏝から衣類をバキューム吸引して下鏝に密着させる第１工程と、
（ロ）上鏝を下鏝に押し付けて衣類をプレスした状態で、上鏝，下鏝の少なくとも一方から蒸気を衣類に吹き付ける第２工程と、
（ハ）上鏝と下鏝との間で衣類をプレスした状態で、下鏝，上鏝の少なくとも一方から衣類をバキューム吸引する第３工程と、
（ニ）上鏝を下鏝から離した状態で、下鏝から衣類をバキューム吸引して衣類を冷却する第４工程と、
を備えた衣類プレス方法において、上記第３工程でのバキューム吸引力を、相対的に弱くし、上記第１工程および上記第４工程でのバキューム吸引力を上記第３工程でのバキューム吸引力より強くしたことを特徴とする衣類プレス方法。
【発明の詳細な説明】
【０００１】
【発明の属する技術分野】
本発明は、ズボン等の衣類をプレスする方法に関する。
【０００２】
【従来の技術】
図５に示すように、ズボンの左右の股下部１００（衣類）はそれぞれ筒形状をなしており、前側の布１０１と後側の布１０２の縁部を縫い合わせることにより形成されている。布１０１、１０２は、それぞれ中央で折り目１０１ａ，１０２ａがつけられている。図６に示すように、上記縫い合わせ部１０５，１０６では、布１０１，１０２の縁部が二重をなして互いに縫い合わされている。
【０００３】
上記ズボン股下部１００は、下鏝と上鏝とを有するプレス機によりプレス仕上げされるようになっている。このプレスでは、一般に４つの工程が順に実行される。第１の工程では、下鏝にズボン股下部１００の一方を載せてセットし、下鏝からバキューム吸引してズボン股下部１００を下鏝に密着させる。次の第２工程では、上鏝を下鏝に押し付けてズボン股下部１００をプレスするとともに上鏝から蒸気を吹き付けてズボン股下部１００を柔らかくする。次の第３工程では、上鏝と下鏝との間でズボン股下部１００をプレスしたまま、下鏝からズボン股下部１００をバキューム吸引して乾燥させる。次の第４工程では、上鏝を下鏝から離し、この状態で下鏝からズボン股下部１００をバキューム吸引して冷却する。
【０００４】
【発明が解決しようとする課題】
上記第１，第３，第４工程では、バキューム吸引が実行されるが、このバキューム吸引力は一定であった。そのため、次の不都合が生じていた。
バキューム吸引力が強いと、上記第３工程におけるプレスの際、図６に示すように、布１０１，１０２の縁部において、一重の部分と二重の部分との境１０１ｂ，１０２ｂにはっきりとした段差、いわゆる当たりが現れてしまう。
【０００５】
バキューム吸引力を弱めると、第３工程での境１０１ｂ，１０２ｂでの当たりをなくすことができ、図７に示すプレス仕上げ状態にすることができる。しかし、第１工程でのバキューム吸引力が不足してしまう。すなわち、第１工程で下鏝に載せたズボン股下部１００を下鏝に強く密着できず、セットずれが生じたり、クリーニング後の丸みを帯びた折り目１０１ａ、１０２ａ近傍が膨らんだままとなり折り目１０１ａ，１０２ａのところでしっかりと畳まれた状態にならない。
そのため、第２，第３工程でプレスを行うと、折り目１０１ａ，１０２ａがずれてしまうことがある。
また、第３工程に合わせてバキューム吸引力を決定すると、第４工程でのバキューム吸引による冷却効果が弱くなり、ズボン股下部１００の折り目１０１ａ，１０２ａに戻りが生じ易くなり、プレス仕上げの効果が減じられてしまう。
【０００６】
【課題を解決するための手段】
本発明は、
（イ）下鏝に衣類を載せてセットし、下鏝から衣類をバキューム吸引して下鏝に密着させる第１工程と、
（ロ）上鏝を下鏝に押し付けて衣類をプレスした状態で、上鏝，下鏝の少なくとも一方から蒸気を衣類に吹き付ける第２工程と、
（ハ）上鏝と下鏝との間で衣類をプレスした状態で、下鏝，上鏝の少なくとも一方から衣類をバキューム吸引する第３工程と、
（ニ）上鏝を下鏝から離した状態で、下鏝から衣類をバキューム吸引して衣類を冷却する第４工程と、
を備えた衣類プレス方法において、上記第１工程でのバキューム吸引力を相対的に強くし、上記第３工程でのバキューム吸引力を相対的に弱くする。
さらに、上記第４工程でのバキューム吸引力を、上記第３工程でのバキューム吸引力より強くするのが好ましい。
【０００７】
【発明の実施の形態】
以下、本発明の実施形態を図面を参照しながら説明する。図１に示すように、ズボンプレス機（衣類プレス機）は、下鏝１０と上鏝２０とを備えている。下鏝１０は基台（図示しない）に固定されている。基台にはアーム（図示しない）が回動可能に連結されており、このアームの先端部に上鏝２０が取り付けられている。流体圧シリンダ等の付勢機構によりアームを回動させることにより、上鏝２０を、下鏝１０から離れた位置と下鏝１０に押し付けられたプレス位置との間で移動することができる。
【０００８】
下鏝１０は、空洞をなし、下側の蒸気加熱室１１と、上側のバキューム室１２とに仕切られている。蒸気加熱室１１には、往路管と復路管を介して高温蒸気源が接続されており、高温蒸気が充たされるようになっている。これにより、下鏝１０は加熱状態を維持されるようになっている。バキューム室１２の上壁には、多数のバキューム穴１３が形成されており、このバキューム穴１３が下鏝１０のプレス面１０ａに開口している。バキューム室１２は、弁１５（以下、バキューム弁と称す）を設けた吸引管１６を介してバキュームポンプ１７に接続されている。バキュームポンプ１７は、コントローラ１８により回転数を調節され、バキューム吸引力を調節できるようになっている。
【０００９】
上鏝２０も空洞をなし、上側の蒸気加熱室２１と、下側の蒸気吹付室２２とに仕切られている。蒸気加熱室２１には、往路管と復路管を介して高温蒸気源が接続されており、高温蒸気が充たされるようになっている。これにより、上鏝２０は加熱状態を維持されるようになっている。蒸気吹付室２２の下壁には、多数の蒸気吹付穴２３が形成されており、この蒸気吹付穴２３が上鏝２０のプレス面２０ａに開口している。蒸気吹付室２２は、弁２５（以下、蒸気弁と称す）を設けた蒸気供給管２６を介して高温蒸気源２７に接続されている。なお、この高温蒸気源２７は、上述した蒸気加熱室１１，２１の高温蒸気源と同じでもよいし、異なってもよい。
【００１０】
次に、上記構成のズボンプレス機を用いたズボン股下部１００（衣類）のプレス方法について詳述する。本実施形態のプレス方法では、図１〜図４に示す第１〜第４工程を順に実行する。
【００１１】
図１に示す第１工程では、上鏝２０を下鏝１０から離した状態で、下鏝１０にズボン股下部１００を載せてセットする。それから例えばペダルを踏んでバキューム弁１５を開き動作させる。これにより、バキュームポンプ１７が、下鏝１０のバキューム穴１３，バキューム室１２を介して、ズボン股下部１００をバキューム吸引し、下鏝１０のプレス面１０ａに密着させる。この際、バキュームポンプ１７の回転数を高くし、バキューム吸引力を強くするので、ズボン股下部１００は、セットずれが生じず、折り目１０１ａ，１０２ａ近傍で膨らみがなくしっかりと折り畳まれた状態でセットされる。このように、セットずれ等を防止できるので、後述する第２，第３工程でのプレス時に折り目１０１ａ，１０２ａがずれるのを防止できる。
【００１２】
次に、スタートボタンをオンすると、第２〜第４工程が自動継続運転により実行される。まず、図２に示す第２工程が実行される。すなわち、上鏝２０が下降して下鏝１０に押し付けられ、ズボン股下部１００をプレスする。それから、蒸気弁２５が開かれて、上鏝２０の蒸気吹付室２２，蒸気吹付穴２３を介して高温蒸気源２７からの蒸気が１秒程度ズボン股下部１００に吹き付けられる。これにより、ズボン股下部１００が柔らかくなり、プレス効果が増大する。この第２工程では、前記バキューム弁１５は閉じられており、下鏝１０からのバキューム吸引は停止している。
【００１３】
次に、図３に示す第３工程が実行される。すなわち、上述した上鏝２０と下鏝１０との間でのプレス状態のままバキューム弁１５が開かれ、下鏝１０からズボン股下部１００を２〜３秒程度バキューム吸引する。この第２工程では、バキュームポンプ１７の回転数を低くしてバキューム吸引力を第１工程より弱くし、図７に示すようにズボン股下部１００の境部１０１ｂ、１０２ｂに当たりが現れないようにする。バキューム吸引力は、ズボン股下部１００からの湿気除去を十分に達成できる程度であれば、弱くしても差し支えない。ズボン股下部１００は、上記プレス状態での脱湿により、ズボン股下部１００の皺がなくなり折り目１０１ａ，１０２ａがしっかりとつけられる。なお、この第３工程では、蒸気弁２５は閉じられており、蒸気吹き付けは停止されている。
【００１４】
次に、図４に示す第４工程が実行される。すなわち、上鏝２０が下鏝１０から離される。上記下鏝１０からのバキューム吸引は２〜３秒程度継続され、ズボン股下部１００を冷却する。この第４工程では、バキュームポンプの回転数を高くしてバキューム吸引力を第３工程より強くし、第１工程と同程度のレベルにする。その結果、短時間で冷却が十分に行われ、プレス戻りを防止できる。
【００１５】
本発明は上記実施形態に制約されず、種々の形態が可能である。例えば、バキュームポンプ１７の回転数を一定にし、その代わりに吸引管１６にダンパー１９（図１参照）を設け、このダンパー１９の開度を調節することにより、バキューム吸引力を調節するようにしてもよい。
第４工程でのバキューム吸引力は、第３工程より強くするのが好ましいが、第１工程より弱くてもよいし強くもよい。
第２工程において、蒸気は下鏝から吹き付けてもよいし、上鏝と下鏝の両方から蒸気を吹き付けてもよい。また、第３工程において、バキューム吸引は上鏝から行ってもよいし、上鏝と下鏝の両方から行ってもよい。
上記実施形態で用いられるプレス機において、第３工程でのバキューム吸引力を弱くし、第１，第４工程でのバキューム吸引力を強くする制御モードと、全ての工程でバキューム吸引力を一定で強くする制御モードとを切り替えるようにしてもよい。
本発明は、ズボン以外の衣類のプレス方法に適用してもよい。
【００１６】
【発明の効果】
以上説明したように、本発明によれば、第１工程でのバキューム吸引力を相対的に強くしたので、セットずれ等をなくして、所望のプレスを行うことができ、また、第３工程でのバキューム吸引力を相対的に弱くしたので、当たりが現れるのを防止できる。
また、第４工程でのバキューム吸引力を強くしたので、プレス後の十分な冷却を行うことができ、プレス戻りを防止することができる。
【図面の簡単な説明】
【図１】本発明のプレス方法の一実施形態における第１工程を示す断面図である。
【図２】同方法の第２工程を示す断面図である。
【図３】同方法の第３工程を示す断面図である。
【図４】同方法の第４工程を示す断面図である。
【図５】プレスされるべきズボン股下部の断面図である。
【図６】バキューム吸引力を強くしてプレスした時のズボン股下部の要部（図５において符号ＶＩで示す部位）の拡大断面図である。
【図７】バキューム吸引力を弱くしてプレスした時のズボン股下部の要部拡大断面図である。
【符号の説明】
１０  下鏝
２０  上鏝
１００  ズボン股下部（衣類）
【図１】
0004567865.tif 000002
【図２】
0004567865.tif 000003
【図３】
0004567865.tif 000004
【図４】
0004567865.tif 000005
【図５】
0004567865.tif 000006
【図６】
0004567865.tif 000007
【図７】
0004567865.tif 000008